(57)【要約】【課題】  回転子コアに弾性をもつ磁石固定部を設けることによって、ブラッシュレス直流モーターの構造及び組立工程の簡略化を図るとともに、磁石の振動を効率よく防止しうるブラッシュレス直流モーターを提供する。【解決手段】  本発明のブラッシュレス直流モーターは、固定子と回転子とを含み、該回転子は、複数枚のコア単板が回転軸方向に積層されてなる回転子コアと、該回転子コアに結合される磁石と、回転子コアに結合された磁石を回転軸方向に圧押して固定するように回転子コアの両端に配置される、弾性をもつ磁石固定部とを含む。【選択図】      図１
2006042582.tif 000002
【特許請求の範囲】
【請求項１】
固定子と、回転子とを含むブラッシュレス直流モーターであって、
前記回転子は、
複数枚のコア単板が回転軸方向に積層されてなる回転子コアと、
該回転子コアに結合される磁石と、
該回転子コアに結合された磁石を、前記回転軸方向に圧押して固定するように前記回転子コアの両端に設けられる、弾性を持つ磁石固定部とを含むブラッシュレス直流モーター。
【請求項２】
前記複数枚のコア単板それぞれに磁石結合溝が形成され、該磁石結合溝に前記磁石が結合され；
前記回転子コアの両端に配置される二枚のコア単板に形成される磁石結合溝の箇所に前記磁石固定部が形成されることを特徴とする請求項１に記載のブラッシュレス直流モーター。
【請求項３】
前記磁石固定部は、前記コア単板と一体形成される弾性片であることを特徴とする請求項２に記載のブラッシュレス直流モーター。
【請求項４】
前記弾性片が前記コア単板から半径方向に突出されて、前記結合された磁石の両端を圧着することを特徴とする請求項３に記載のブラッシュレス直流モーター。
【請求項５】
前記弾性片が弾性を持つように折り曲げられて、前記結合された磁石の両端を圧着することを特徴とする請求項３に記載のブラッシュレス直流モーター。
【請求項６】
固定子と、回転子とを含むブラッシュレス直流モーターであって、
前記回転子は、
単一の第１のコア単板、複数の第２のコア単板、及び、単一の第３のコア単板が回転軸方向に積層されてなる回転子コアと、
該回転子コアに結合される磁石と、
該結合された磁石を前記回転軸方向に圧押して固定するように前記第１及び第３のコア単板に設けられた、弾性をもつ磁石固定部とを含むことを特徴とするブラッシュレス直流モーター。
【発明の詳細な説明】
【技術分野】
【０００１】
本発明は、モーターに関し、特に、ブラッシュレス直流モーターの回転子コア構造に関する。
【背景技術】
【０００２】
一般に、ブラッシュレスモーターは、固定子に供給される電源の極性を切り換えるために、機械的装置のブラッシュに代わって電気的装置のスイッチング回路を使用するモーターであって、往復動式圧縮機などの駆動装置として使用される。
【０００３】
特許文献１には、回転子コアに結合された磁石を固定することによって磁石が回転子コアから離脱するのを防ぐ従来のブラッシュレス直流モーターが開示されている。
【０００４】
この従来のブラッシュレス直流モーターでは、回転子コアに結合された磁石を固定すべく、回転子コアの外周面に磁石の両端を固定する突起が形成され、回転子コアと磁石が噛み合うように回転子コアには突出部が、磁石には結合溝がそれぞれ設けられている。
【０００５】
このような構成により、従来のブラッシュレス直流モーターでは、回転子の高速回転に伴う遠心力によって回転方向の円周方向や半径方向へ磁石が流動する問題は解消されたが、磁石の回転軸方向への振動の問題は依然として残っている。
【０００６】
また、従来のブラッシュレス直流モーターは、上下部カバーが回転子の上部と下部にそれぞれ締め付けられるため、これら上・下部カバーを別途に用意しなければならない。しかも、これらの上・下部カバーを回転子に締め付けるための締付部材を備えなければならなく、したがって、この締付部材を用いて上・下部カバーを回転子に締め付けるための追加の組立工程が要求される。
【０００７】
なお、上・下部カバーと磁石との間に隙間ができると、磁石の上下流動により振動と騒音が生じ、ブラッシュレス直流モーターの効率劣化につながる、という問題があった。
【特許文献１】大韓民国登録実用新案公報第２０−０１６２０４２号
【発明の開示】
【発明が解決しようとする課題】
【０００８】
本発明は、上記事情に鑑みて、回転子コアに弾性を持つ磁石固定部を設けることによって、モーターの構造及び組立工程の簡略化を図るとともに、磁石の振動を有効に抑えうるブラッシュレス直流モーターを提供することを目的とする。
【課題を解決するための手段】
【０００９】
上記の目的を達成すべく、本発明によるブラッシュレス直流モーターは、固定子と、回転子とを含めてなり、該回転子は、複数枚のコア単板が回転軸方向に積層されてなる回転子コアと、該回転子コアに結合される磁石と、該回転子コアに結合された磁石を、前記回転軸方向に圧押して固定するように前記回転子コアの両端に設けられる、弾性を持つ磁石固定部とを含む。
【００１０】
また、本発明によるブッシュレス直流モーターは、固定子と、回転子とを含めてなり、該回転子は、単一の第１のコア単板、複数の第２のコア単板、及び、単一の第３のコア単板が回転軸方向に積層されてなる回転子コアと、該回転子コアに結合される磁石と、該結合された磁石を前記回転軸方向に圧押して固定するように前記第１及び第３のコア単板に設けられた、弾性をもつ磁石固定部とを含む。
【発明の効果】
【００１１】
本発明のブラッシュレス直流モーターによれば、回転子コアの両端から弾性を持つ磁石固定部が磁石を圧押するため、回転子の高速回転による磁石の回転軸方向への振動を十分に解消することが可能になる。
【００１２】
また、回転子コアの単板に磁石固定部が設けられるため、別途の上・下部カバーと、この上・下部カバーを組立てるための追加工程が省かれる。
【００１３】
特に、磁石固定部が弾性を持つことから磁石と磁石固定部との間には隙間ができず、したがって、磁石の上下流動を防止して振動と騒音を大きく抑えることができる。
【発明を実施するための最良の形態】
【００１４】
以下、本発明の好ましい実施の形態について、図１ないし図４を参照しつつ詳細に説明する。
【００１５】
まず、図１は、本発明の実施の形態に従うブラッシュレス直流モーターの断面図である。図１に示すように、固定子１０２には固定子巻線１０２ａが巻き取られ、その内側に回転子コア１０４が挿入される。回転子コア１０４には、複数個の磁石(永久磁石)１０６が結合され、この結合された磁石１０８が回転軸方向に流動しないように磁石固定部１０８ａが設けられる。これら回転子コア１０４と磁石１０８により回転子が構成される。
【００１６】
図２は、図１に示したブラッシュレス直流モーターの回転子コアの単板を示す図であって、回転子コア１０４を構成する複数枚のコア単板のうち、最外側、つまり、両端に配置されるコア単板の一つを示している。図２に示すように、回転子１０４のコア単板１０４ａには、磁石固定部１０８ａが設けられる。この磁石固定部１０８ａは、弾性を持つように折り曲げられるとともに、コア単板１０４ａから半径方向に突出するようにコア単板１０４ａと一体形成される弾性片であって、回転子コア１０４に結合された磁石１０６の一端を圧着するようになる。したがって、このようなコア単板１０４ａが回転子コア１０４の両端にそれぞれ設けられると、磁石１０６の両端を圧着して磁石１０６の流動(回転軸方向への流動)を効率よく抑制する。
【００１７】
図３は、図１に示したブラッシュレス直流モーターの回転子構造を示す分解斜視図である。図３に示すように、回転子コア１０４は、単一の第１のコア単板１０４ａと複数の第２のコア単板１０４ｃ、単一の第３のコア単板１０４ｂが回転軸３００方向に積層されてなる。この回転子コア１０４に磁石(永久磁石)１０６が結合され、第１及び第３のコア単板１０４ａ,１０４ｂには、回転子コア１０４に結合された磁石１０６を回転軸３００方向に圧押して固定させるための、弾性を持つ磁石固定部１０８ａ,１０８ｂが配設される。すなわち、積層された複数枚のコア単板１０４ｃに結合された磁石１０６が、回転軸３００方向に流動しないように回転子コア１０４の両端から弾性を用いて圧着するのである。
【００１８】
図４は、図１に示したブラッシュレス直流モーターの動作特性を説明するための図であって、図４の(Ａ)は、従来のブラッシュレス直流モーターの回転子が回転するときの騒音及び振動特性を示すものであり、図４の(Ｂ)は、本発明によるブラッシュレス直流モーターの回転子が回転するときの騒音及び振動特性を示すものである。図４の(Ａ)と図４の(Ｂ)から、本発明によるブラッシュレス直流モーターの回転子が回転するときに発生する騒音及び振動特性が従来のそれに比べてより良好であることがわかる。
【図面の簡単な説明】
【００１９】
【図１】本発明の一実施の形態に従うブラッシュレス直流モーターを示す断面図である。
【図２】図１に示したブラッシュレス直流モーターの回転子コア単板を示す図である。
【図３】図１に示したブラッシュレス直流モーターの回転子構造を示す図である。
【図４】図１に示したブラッシュレス直流モーターの動作特性を示す図である。
【符号の説明】
【００２０】
１０２    固定子
１０２ａ  固定子巻線
１０４    回転子コア
１０４ａ  第１のコア単板
１０４ｂ  第２のコア単板
１０４ｃ  第３のコア単板
１０６    磁石
１０８ａ、１０８ｂ  磁石固定部
３００    回転軸
【図１】
2006042582.tif 000003
【図２】
2006042582.tif 000004
【図３】
2006042582.tif 000005
【図４】
2006042582.tif 000006